(57)【要約】【課題】美観をそこなうことなく、効率的に作業面を照射することのできるキッチン用照明システムを提供する。また、広範囲な紫外線殺菌を実現可能なキッチン用照明システムを提供する。【解決手段】シンクにとりつけられ、前記シンクと、前記シンクに近接する作業台とを照射する、照明器具と、を有するキッチン用照明システムであって、前記作業台の近傍にとりつけられた反射部を具備し、前記照明器具は、前記シンクの内面から反射部に向かって光を照射し、前記作業台は前記反射部からの反射光により光を照射される。【選択図】図１
2010218956.tif 000002
【特許請求の範囲】
【請求項１】
シンクにとりつけられ、前記シンクと、前記シンクに近接する作業台とを照射する、照明器具と、を有するキッチン用照明システムであって、
前記作業台の近傍にとりつけられた反射部を具備し、前記照明器具は、前記シンクの内面から反射部に向かって光を照射し、
前記作業台は前記反射部からの反射光により光を照射されるキッチン用照明システム。
【請求項２】
請求項１に記載のキッチン用照明システムであって、
前記反射部は、凹面または凸面からなる鏡面形状を有し、かつ前記反射部の中心を通る法線の向きを変更可能なキッチン用照明システム。
【請求項３】
請求項１に記載のキッチン用照明システムであって、
前記照明器具は、可視光と紫外光とを切り替え可能に構成されており、前記反射部に向かう前記照明器具からの光を遮る着脱自在な遮光部を具備したキッチン用照明システム。
【請求項４】
請求項３に記載のキッチン用照明システムであって、
前記遮光部は反射性部材で構成されており、前記紫外光強度を弱めること無く反射可能であるキッチン用照明システム。
【請求項５】
請求項４に記載のキッチン用照明システムであって、
前記照明器具の光源は、放電灯であり、
放電部と前記放電部に対して回動自在に取り付けられ、前記放電部の軸を含む面で分割された蛍光面からなる半筒面を具備し、
可視光を照射する蛍光面と紫外光を照射する非蛍光面とに切り替えることで可視光と紫外光とを切り替え可能なキッチン用照明システム。
【発明の詳細な説明】
【技術分野】
【０００１】
本発明は、キッチン用照明システムに係り、特にシンクに装着可能なキッチン用照明システムに関する。
【背景技術】
【０００２】
一般に、キッチン用照明は棚下などに設けられており、作業台を効率的に照明している。しかしながら近年、壁面に設置されるＩ型、Ｌ型キッチンとは異なり、壁面から離れた位置に設けられるいわゆるアイランド型キッチンが増加しつつある。従来、アイランド型キッチンにおいては、キッチン用照明器具は天井から吊り下げる、または天井に埋め込む必要があった。また、アイランド型キッチンは設置制約から棚を有していないため、棚下照明は設置が困難である。また、天井から吊り下げるのは美観的に好まれず、また照明器具と照射面との距離が長くなるため効率が非常に悪くなっていた。それだけでなく、アイランド型キッチンは、パーティなどに使用されることも多く、全体照明を抑えて使用されることも多いため、作業台の手許を照射する、手許照明は特に重要である。
【０００３】
一方、紫外線による殺菌効果は広く知られており、衛生設備室での殺菌設備として紫外線ランプの使用も提案されている（特許文献１）。
上記発明では、キッチン等の衛生設備室における雑菌の発生・繁殖を紫外線照射により殺菌することが可能となる。
【先行技術文献】
【特許文献】
【０００４】
【特許文献１】：特開２００１−１１２８５５号公報
【発明の概要】
【発明が解決しようとする課題】
【０００５】
以上のように、棚を有していないアイランドキッチン形態において、キッチン用照明器具は天井から吊り下げる、または天井に埋め込む必要があった。しかしながら、天井から吊り下げるのは美観的に好まれず、また、天井に埋め込むのは、照明器具と照射面との距離が長くなるため効率が非常に悪いという問題があった。
従って、美観をそこなうことなく、効率的に作業面を照射する照明器具が求められている。
また、紫外線による殺菌効果は広く知られているが、人体に対する影響も非常に強いため、安全性の面から最も衛生面が気になるキッチンにおいても、積極的に使用することは無かった。排水溝、収納ボックス内での照射が考えられているが、まな板、包丁、布巾、タライ、水切りネットなど広範囲の使用も求められている。
そのために、安全性を確保して、様々な用具に紫外線を照射するという要求も高まっている。
【０００６】
本発明は、前記実情に鑑みてなされたものであり、美観をそこなうことなく、効率的に作業面を照射することのできるキッチン用照明システムを提供することを目的とする。
また、本発明は、広範囲な紫外線殺菌を実現可能なキッチン用照明システムを提供することを目的とする。
【課題を解決するための手段】
【０００７】
そこで本発明のキッチン用照明システムは、シンクにとりつけられ、前記シンクと、前記シンクに近接する作業台とを照射する、照明器具と、を有するとともに、前記作業台の近傍にとりつけられた反射部を具備し、前記照明器具は、前記シンクの内面から反射部に向かって光を照射し、前記作業台は前記反射部からの反射光により光を照射される。
この構成によれば、作業台の近傍には反射部が設けられており、照明器具は、シンクの内面から反射部に向かって光を照射し、作業台は反射部からの反射光により光を照射されるので、天井側から吊下等の制約無く照明器具を配置することができ、照明器具の近距離からの照射により効率的に手元照明を実現できる。従来のキッチン用照明システムにおいて深刻な課題となっていた、照明器具の設置制約、特にアイランド型では設置は困難であり、作業面と照明器具との距離が長くなり手元照明としては効率が悪くなるという点についても、確実に解消できるものである。
【０００８】
また、本発明では、上記キッチン用照明システムにおいて、前記反射部が、凹面または凸面からなる鏡面形状を有し、かつ前記反射部の中心を通る法線の向きを変更可能であるものを含む。
この構成によれば、凹面形状とし、集光することにより、中心照度を高くすることができる。また、凸面形状とすることで拡散することにより、広範囲を照射することができる。また、この反射部の中心を通る法線を調整することで、最高照度の位置を調整することができる。
【０００９】
また、本発明では、上記キッチン用照明システムにおいて、前記照明器具は、可視光と紫外光とを切り替え可能に構成されており、前記反射部に向かう前記照明器具からの光を遮る着脱自在な遮光部を具備したものを含む。
この構成によれば、遮光部を具備したことで、安全性を確保して紫外光をシンク内に照射することができ、殺菌作用を呈することができる。
【００１０】
また、本発明では、上記キッチン用照明システムにおいて、前記照明器具は、前記遮光部は反射性部材で構成されており、前記紫外光強度を弱めること無く反射可能である。
この構成によれば、反射率の高い反射性部材により紫外光を複数回反射させるようにしているため、紫外線の殺菌作用を最大限に有効利用することができる。
【００１１】
また、本発明では、上記キッチン用照明システムにおいて、前記照明器具の光源は、放電灯であり、放電部と前記放電部に対して回動自在に取り付けられ、前記放電部の軸を含む面で分割された蛍光面からなる半筒面を具備し、可視光を照射する蛍光面と紫外光を照射する非蛍光面とに切り替えることで可視光と紫外光とを切り替え可能なものを含む。
【発明の効果】
【００１２】
以上説明してきたように、本発明によれば、作業台の近傍には反射部が設けられており、照明器具は、シンクの内面から反射部に向かって光を照射し、作業台は反射部からの反射光により光を照射されるので、天井側から吊下等の制約無く照明器具を配置することができ、照明器具の近距離からの照射により効率的に手元照明を実現することが可能となる。
また、照明器具を、可視光と紫外光とを切り替え可能に構成するとともに、反射率の高い反射性部材により紫外光を複数回反射させるようにしているため、紫外線の殺菌作用を最大限に有効利用することができ、清潔で生産性の高いキッチンを提供することができる。
【図面の簡単な説明】
【００１３】
【図１】本発明の実施の形態１のキッチン用照明システムを示す概要図（使用時）
【図２】本発明の実施の形態１のキッチン用照明システムを示す概要図（非使用時）
【図３】本発明の実施の形態１のキッチン用照明システムの照明器具を示す図
【図４】本発明の実施の形態１のキッチン用照明システムの反射部を示す図
【図５】本発明の実施の形態１のキッチン用照明システムの反射部を示す図
【図６】本発明の実施の形態１のキッチン用照明システムの照明器具の変形例を示す図
【図７】本発明の実施の形態２のキッチン用照明システムを示す概要図（非使用時）
【図８】本発明の実施の形態２のキッチン用照明システムを示す概要図（使用時）
【図９】本発明の実施の形態２のキッチン用照明システムの照明器具を示す図
【図１０】本発明の実施の形態２のキッチン用照明システムの変形例の照明器具を示す図
【図１１】本発明の実施の形態２のキッチン用照明システムの変形例の照明器具を示す図
【図１２】本発明の実施の形態３のキッチン用照明システムの照明器具を示す図
【図１３】本発明の実施の形態３のキッチン用照明システムの照明器具を示す図
【図１４】本発明の実施の形態４のキッチン用照明システムの反射部の形状と配光特性を示す図
【図１５】本発明の実施の形態４のキッチン用照明システムの反射部の形状と配光特性を示す図
【図１６】本発明の実施の形態４のキッチン用照明システムの反射部の形状と配光特性を示す図
【発明を実施するための形態】
【００１４】
以下本発明の実施の形態について図面を参照しつつ詳細に説明する。
（実施の形態１）
本発明の実施の形態１のキッチン用照明システムのシステム構成を示す概要図を図１および図２に示す。図１はキッチン使用時の状態を示し、図２はキッチン非使用時を示す。
このキッチン用照明システムは、シンク１００と、シンク１００に近接する作業台２００と、シンク１００にとりつけられ、シンク１００と作業台２００とを照射する照明器具１０とを有する。そしてこの作業台２００の近傍にとりつけられた反射部２０を具備し、照明器具１０は、シンク１００の内面から反射部２０に向かって光を照射し、作業台２００およびシンク１００は反射部２０からの反射光により光を照射され得るように構成されている。３００はガス台である。
そしてキッチンを使用していない時には図２に示すようにシンク１００には着脱自在に配設された遮光部１０２が装着されており、シンク１００が遮光部１０２で遮光されるようになっている。１０１は水道の蛇口である。
【００１５】
ここで放電ランプを照明器具１０として用いている。図３に照明器具１０を示す。この照明器具１０は放電灯１と、この放電灯からの光を反射する反射板２と、光を調節するルーバー３と、防水用前面ガラス４とを具備し、水銀輝線（紫外線：２５４ｎｍ）により蛍光体を励起することにより白色光（可視光）を放射するものである。ここで５は反射鏡中心軸である。ここで、蛍光体を塗布してない状態では、紫外線が放射される。この放電灯１としては殺菌作用を有する紫外線を放射する場合、放電ランプは紫外線（２５４ｎｍ）を用いる。
またこの照明器具１０では防水用前面ガラス４として石英ガラス（２００〜２５００ｎｍの波長域を透過）を装着しており、シンク内で用いられる照明器具１０として十分に防水性を有するようになっている。また十分に、紫外線を透過するガラスとなっている。そして、この防水用前面ガラス４の面とシンク内壁面とが一致するように、シンク内壁に照明器具１０が埋め込まれた構造となっている。
またルーバー３は、羽板（はいた）と呼ばれる細長い板を平行に組んで板状にし、取り付けたものであり、羽板の取付角度によって、光の方向を制御し、照明器具１０の光軸を反射部２０に向けるように構成されている。
【００１６】
さらにまた、反射部２０は、図４（ａ）乃至（ｃ）に示すように、アルミニウム板を鏡面研磨して構成された高反射材で構成され、位置および向きを調整可能で、シンク内部からの可視光を反射するように構成されている。このように反射材料として高反射材を用いることにより導光効率が高くなる。ここで図４（ａ）乃至（ｃ）は反射部２０の正面図、背面図、側面図であり、鏡面加工のなされた反射材２１が２本の支持脚２２を介して支持台２３に取り付けられ、この２本の支持脚２２はそれぞれ角度調整つまみ２４によって支持台２３に対する角度を調整可能に取り付けられている。この支持台２３は支持棒２５によって作業台２００に取り付けられている。ここで支持棒２５は回転調整つまみ２６によって回転可能となっている。２７は垂直止め具、２８は水平止め具である。垂直止め具２７，水平止め具２８は反射材２１に溶接などにより固定され、支持脚２２を垂直止め具２７と反射材２１とで挟んでいる。また水平止め具２８は垂直止め具２７の高さ方向を固定するものである。
このように、支持台２３は反射材２１などの高さを固定し、支持棒２５を中心に回転する。回転調整つまみ２６により反射面中心部の鉛直方向を照明器具発光面に対して所望の角度だけ傾けることができる。
また、角度調整つまみ２４などにより、反射面中心部の鉛直方向を作業台２００に対して傾けることができる。
【００１７】
図５は角度調整つまみ２４によって作業台側に傾けた状態を示す図である。このように反射材２１を傾けることにより、放電灯１を用いた照明器具１０からの光を効率よく作業台側に導くことができる。
【００１８】
遮光部１０２は高反射処理が施された板状体であり、光線の減衰を殆ど起こさないため、複数回の反射を繰り返し、紫外線をターゲット（カビ、水垢、悪臭のもとなど）に効率的に照射する。遮光部は酸化による反射率の低下を考慮して、フッ化マグネシウム（ＭｇＦ２）等のコーティングが施されたアルミニウムで構成され、波長２５０〜４００ｎｍに対して、高い反射率を維持したものを用いる。なお遮光部１０２はシンクの蓋の形状をなしており、非使用時は蛇腹構造により収納される（収納構造については後述する）。
【００１９】
なお、前記実施の形態１では、光源として放電灯を用いたものについて説明したが、図６に一例を示すようなＬＥＤを用いた照明器具にも適用可能である。
この照明器具は、樹脂封止のなされたＬＥＤ素子１１の発光が集光レンズ１２を介して導出されるように構成されており、シンクで用いられるため、放電灯照明器具と同様に、防水用前面ガラス１４を装着した筐体１３内に配設されている。この場合も防水用前面ガラス１４とシンクの内壁面とが一致するようにシンクの上縁部近傍でシンク内壁にライン状に埋め込まれた構造とするのが望ましい。またＬＥＤ素子１２からの光の出射方向を調整可能なように照明器具内に可動ミラーを配置するようにしてもよい。
【００２０】
なおここで用いられるＬＥＤ素子１１としてはＲＧＢ-ＬＥＤを混色した白色光を用いても、青色ＬＥＤ（４４５ｎｍ）と黄色蛍光体を混色した白色光を用いても、青色ＬＥＤまたは紫外線ＬＥＤ（３６５ｎｍ）と３５０-３９０ｎｍで励起する蛍光体を混色した白色光を用いてもよい。
【００２１】
また、殺菌作用を有する紫外線を放射する場合、放電ランプは紫外線（２５４ｎｍ）を用い、ＬＥＤは紫外線（３６５ｎｍ）を用いてもよい。ＬＥＤはその組成から殺菌効果の高い２５４ｎｍを放射することは出来ない場合もあるが、近年徳島大ではＬＥＤ紫外線（３６５ｎｍ）での殺菌効果が確認されている。
また、シンク内の照明器具は防水性を有しなくてはならない、紫外線を透過するガラスとしては、石英ガラス（２００〜２５００ｎｍの波長域を透過）を用いる必要がある。
【００２２】
また、反射部に用いられる、反射材２１は平板でも良いが、凹凸面を有すると集光、拡散特性を持たせることができる。また、反射材２１を薄いアルミニウム板などで構成し、弾性変形範囲内で湾曲させ、反射面を正面方向に対して凹形状または凸形状に変形することができる。この反射面の中心部に対し裏面に向かって応力をかけ、全体を変形させることで凹形状、表面に向かって応力をかければ凸形状となる。この反射面自体にも凹凸をもたせるようにしてもよい。
また、反射面（鏡面）は凹面から凸面へ変形および回転自在とすることにより、集光系から拡散系の配光が実現でき、かつ光軸の回転も実現可能である。
【００２３】
（実施の形態２）
本発明の実施の形態２のキッチン用照明システムのシステム構成を示す概要図を図７、断面図を図８に示す。
このキッチン用照明システムは、照明器具として図９（ａ）および（ｂ）に示す放電灯を用いることにより、可視光と紫外光とを切り替えて出力するものである。
ここでシンク１００に取り付けられる遮光部１０２の遮光材１０２１は着脱自在であり、例えば、シンク使用時はロール状にシンク１００内に収納され、図７および図８に示すように、遮光部１０２の遮光材１０２１が、シンク非使用時に引き出されるように構成されている。さらに、安全性を確保するため、遮光材の開閉を確認してからのみ紫外光を放射するようにする。この開閉は手動であっても、開閉確認センサ１０３により作動するスイッチ（図示せず）による自動であっても良い。
【００２４】
なお、遮光材のシンク対向面に高反射処理を施すことにより、紫外線の強度を弱めることなく、何度でも反射することが出来る。シンク内面も鏡面性を有しており、除菌をしたいまな板、包丁、布巾、タライ、水切りネットなど広範囲のものをシンク内に設置するだけで、効率的にターゲットに紫外線を当てることができる。
特に、２つのシンクを有するシステムキッチンにおいて、サブシンクにこのような照明器具を装着することにより、作業性が大幅に向上する。
【００２５】
紫外光を放射する照明器具が放電灯の場合、放電灯は蛍光体を塗布していないバルブで構成され、図９（ａ）および（ｂ）に断面図および正面図を示すようにルーバー前面に蛍光体を塗布または含有する可視光用カバー６が装着されている。放電灯から放射される紫外線により蛍光体が励起され、可視光用カバーから可視光が放射される。遮光材が閉じられた状態の時、可視光用カバー６がスライド移動することにより、放電灯１からの紫外線が、直接シンク内に照射される。
なお、この可視光用カバー６に塗布または含有される蛍光体の励起波長は主に２５４ｎｍで構成されている。
他は前記実施の形態１と同様に形成されているがここでは説明を省略する。
【００２６】
この構成によれば、壁面に照明器具を装着することなく、シンク内に装着することで、Ｉ型システムキッチンにおいても、可視光用カバー６を着脱することにより、可視光と紫外光とを切り替えて出力するようになっており、遮光材１０２が開かれたときは可視光用カバー６から可視光が出力され、遮光材が閉じられた状態の時、可視光用カバー６がスライド移動することにより、放電灯１からの紫外線が、直接シンク内に照射される。従って効率よくシンク内の殺菌と作業台の照明が行われる。
【００２７】
なお、前記実施の形態２では、光源として放電灯を用いたものについて説明したが、図１０に正面図の一例を示すようなＬＥＤを用いた照明器具にも適用可能である。
この照明器具においても、樹脂封止のなされたＬＥＤ素子１１の発光が集光レンズ(図示せず)を介して導出されるように構成されており、可視光用カバー６が着脱自在に装着されている。ここでも前記実施の形態１と同様に、シンクで用いられるため、放電灯照明器具と同様に、防水用前面ガラスを装着した筐体内に配設されている。
また、図１１に示すように可視光用カバー６を用いることなく、可視光用ＬＥＤ１１ａと紫外線用ＬＥＤ１１ｂとを用いるようにしてもよい。
この構成により、所望の波長の光を効率よく照射することができる。
【００２８】
ところで、紫外線を放射する照明器具がＬＥＤ素子の場合、ＬＥＤ素子は、従来紫外線殺菌作用があるとして用いられてきた２５４ｎｍの高エネルギーのスペクトルをその構成上論理的に出力できないとされてきた。しかし、近年３６５ｎｍ前後のスペクトルによる殺菌作用が確認されている。その効果として、１ｃｃ当たり約１万個の菌への照射実験で、腸炎ビブリオは１０分間でほぼ１００％、サルモネラ菌や病原性大腸菌は３０分間で８０％以上が死滅すると確認された。
そこで、３６５ｎｍ前後に主波長を有する紫外線ＬＥＤ素子を用い、３６５ｎｍで励起される蛍光体を塗布または含有する可視光用カバー６で構成することにより、可視光用カバー６の開閉によって、紫外線と可視光の発光を放電灯照明と同様に行うことができる。
さらに、ＬＥＤ素子は小型であるため、図１１に示したように紫外線用ＬＥＤ１１ｂと可視光用ＬＥＤ１１ａを併設して、その点灯を制御することにより紫外線と可視光の発光を切り替えても良い。
【００２９】
（実施の形態３）
本発明の実施の形態３はキッチン用照明システムにおける放電灯に特徴を有するもので放電灯の可視光発光時と、紫外光発光時の断面図を図１２，１３に示す。
本実施の形態では放電灯の内部にバルブの半分に相当する蛍光体を塗布し、第１の半筒体として、半球状の蛍光体８を回動可能に装着し、可視光発光時には図１２に示すように蛍光体８を光路上に配し、紫外光発光時には図１３に示すように紫外線を発射する。
【００３０】
すなわち、この照明器具は、放電部と前記放電部に対して回動自在に取り付けられ、前記放電部の軸を含む面で分割された領域の半分に形成された蛍光体８からなる半筒体を具備しており、発光面が可視光を照射する蛍光面と紫外光を照射する非蛍光面とに切り替えることで可視光と紫外光とを切り替え可能となっている。
【００３１】
紫外線を放射する照明器具として放電灯を用いようとする場合、従来一般可視光用の放電灯内面は均一に蛍光体が塗布されている。放電灯内は水銀を含んでおり、電子により水銀を励起させ、その２５４ｎｍを主とする水銀輝線により蛍光体が励起され、可視光を発する構成となっている。そこで、バルブ内面の長手方向で分割される約半分の領域に蛍光体を塗布することにより、可視光発光時は、蛍光体が内面に塗布されているバルブが照明器具発光面側に向かうように、紫外線発光時は、蛍光体が内面に塗布されていないバルブが照明器具発光面側に向かうように、放電灯を長手方向の中心軸を回転の中心軸として回転させるというものである。
上記構成にすることにより、少ない部品数で省資源、低コストを実現することができる。
【００３２】
（実施の形態４）
本発明の実施の形態４はキッチン用照明システムにおける反射部に特徴を有するもので使用例を図１４乃至１６に示す。
本実施の形態では反射部２０の反射材２１Ｓの反射面を曲面で構成し、この反射面の法線に対する向きを変更可能に構成したものである。図１４に示すように反射材２１Ｓの反射面を凹形状にすることにより照明器具からの光を集光し、中心照度を高くすることができる。一方図１５に示すように反射材２１Ｓの反射面を凸形状で拡散することにより、広範囲を照射することができる。また図１６に示すほうに法線の方向も調整可能である。
ここで配光とは、光源あるいは照明器具の各方向に対する光度の分布を表す。今回は反射面を光源と置き換えて考え、反射面からの各方向に対する光度の分布を表している。図中の配光曲線は器具からの光軸（光学系において、系全体を通過する光束の代表となる仮想的な光線を指す）を通る支持台に平行な反射面に対して鉛直面上の等光度を結んだものである。
【００３３】
反射面を凹形状にすることにより照明器具からの光を集光し、中心照度を高くすることができる。反射面を凸形状で拡散することにより、広範囲を照射することができる。
また、反射面の向き（反射部の中心を通る鉛直線の方向）を変えることにより、光軸の方向を変えることができる。
ここでＡは光軸、Ｂは配光特性、Ｌは法線を示す。
【００３４】
例えば、反射部２０の反射材２１Ｓとして弾性樹脂に金属膜を形成し鏡面加工をしたものを用い、凹形状、凸形状を切り替え可能とすることができる。
【００３５】
なお、前記実施の形態では、キッチン用照明システムについて説明したが、理美容室や、病院などにおける、器具の殺菌設備などへの適用も可能である。例えば、調理機能を有していないシンクにおいても、剃刀、はさみ、くしなどをシンク内に置いた状態で紫外線照射を行なうこともでき、壁面のない場所にも設置可能であるため、インテリア性を損なうことなく設置可能である。
【産業上の利用可能性】
【００３６】
以上説明してきたように、本発明によれば、キッチン用照明システム、特にアイランド型キッチン、あるいは理美容器具や医療器具の殺菌灯などにも適用可能である。
【符号の説明】
【００３７】
１  放電灯
２  反射板
３  ルーバー  
４  防水用前面ガラス
５  反射鏡中心軸
６  可視光用カバー
８  蛍光体
１０  照明器具
１１  ＬＥＤ素子
１２  集光レンズ
１３  筐体
１４  防水用前面ガラス
２０  反射部
２１  反射材
２２  支持脚
２３  支持台
２４  角度調整つまみ
２５  支持棒
２６  回転調整つまみ
２７  垂直止め具
２８  水平止め具
１００  シンク
１０１  蛇口
１０２  遮光部
１０３  開閉確認センサ
２００  作業台
３００  ガス台
【図１】
2010218956.tif 000003
【図２】
2010218956.tif 000004
【図３】
2010218956.tif 000005
【図４】
2010218956.tif 000006
【図５】
2010218956.tif 000007
【図６】
2010218956.tif 000008
【図７】
2010218956.tif 000009
【図８】
2010218956.tif 000010
【図９】
2010218956.tif 000011
【図１０】
2010218956.tif 000012
【図１１】
2010218956.tif 000013
【図１２】
2010218956.tif 000014
【図１３】
2010218956.tif 000015
【図１４】
2010218956.tif 000016
【図１５】
2010218956.tif 000017
【図１６】
2010218956.tif 000018